【手続補正書】
【提出日】令和3年10月7日(2021.10.7)
【手続補正１】
【補正対象書類名】特許請求の範囲
【補正対象項目名】全文
【補正方法】変更
【補正の内容】
【特許請求の範囲】
【請求項１】
髪のセクション（３６）をウェーブ形態にクランプすることなく、前記髪のセクションにウェーブを付与するためのヘア・スタイリング・デバイス（１０；２１０）であって、前記デバイスは、隣接する成形部材の第１の対を構成する第１の形成部材（２４）および第２の形成部材（２４）と、前記第１の形成部材と前記第２の形成部材との間の第１の髪受け入れ領域（３８）とを有しており、前記デバイスは、隣接する形成部材の第２の対の間に第２の髪受け入れ領域を有する隣接する形成部材の第２の対を有し、前記デバイスは、少なくとも第１の駆動部材（２０； １２０）および第２の駆動部材（２０； １２０）を含めた複数の駆動部材（２０；１２０）を有しており、前記第１の駆動部材（２０；１２０）は、使用中の前記第１の髪受け入れ領域の中の前記髪のセクションを変形させるために、前記第１の形成部材および前記第２の形成部材に対して移動可能であり、前記第２の駆動部材は、使用中の前記第２の髪受け入れ領域の中の前記髪のセクションを変形させるために、隣接する形成部材の第２の対に対して移動可能であり、前記第１の駆動部材（２０； １２０）および前記第２駆動部材（２０；１２０）は、前記駆動部材（２０；１２０）が前記髪のセクションを変形させるときに、２段階移動を行い、第１の段階において、前記駆動部材は、第１の方向（Ｄ１）に移動可能であり、使用中のそれぞれの髪受け入れ領域の中へ前記髪のセクション（３６）を駆動し、第２の段階において、前記駆動部材（２０；１２０）は、第２の方向（Ｄ２）に移動可能であり、前記第２の方向は、前記第１の方向に対して所定の角度になっており、それによって、使用中に、それぞれの髪受け入れ領域（３８）の中の前記髪のセクションをさらに移動させる、ヘア・スタイリング・デバイス（１０；２１０）。
【請求項２】
前記駆動部材（２０；１２０）は、前記第１の段階の間に線形に移動する、請求項１に記載のヘア・スタイリング・デバイス（１０；２１０）。
【請求項３】
前記駆動部材は、前記第２の段階の間に線形に移動する、請求項１または２に記載のヘア・スタイリング・デバイス（１０；２１０）。
【請求項４】
前記駆動部材（２０；１２０）は、前記第１の段階において、スタート位置から中間位置へ移動可能であり、前記第２の段階において、前記中間位置から限界位置へ移動可能である、請求項１〜３のいずれか一項に記載のヘア・スタイリング・デバイス（１０；２１０）。
【請求項５】
前記駆動部材（２０；１２０）の一部（４０）は、前記スタート位置において、それぞれの髪受け入れ領域（３８）の外側にあり、前記中間位置において、前記髪受け入れ領域の内側にある、請求項４に記載のヘア・スタイリング・デバイス（１０；２１０）。
【請求項６】
前記駆動部材（２０；１２０）は、開口部（７８；１７８；２７８）を有しており、前記開口部は、縁部（８４）とエクステンション（８６）とを有しており、前記縁部（８４）は、前記第１の段階における前記第１の方向（Ｄ１）の距離および角度を決定しており、前記エクステンション（８６）は、前記第２の段階における前記第２の方向（Ｄ２）の距離および角度を決定している、請求項１〜５のいずれか一項に記載のヘア・スタイリング・デバイス（１０；２１０）。
【請求項７】
前記駆動部材（２０；１２０）のそれぞれの移動は、それぞれのドライブ・メカニズムによって制御され、前記ドライブ・メカニズムのうちの少なくとも２つの前記駆動部材は、単一のモーターによって作動させられる、請求項１〜６のいずれか一項に記載のヘア・スタイリング・デバイス（１０；２１０）。
【請求項８】
前記ドライブ・メカニズムのうちの前記少なくとも２つは、機械的に同一である、請求項７に記載のヘア・スタイリング・デバイス（１０；２１０）。
【請求項９】
それぞれの髪受け入れ領域（３８）は、チャネルであり、前記形成部材（２４）は、前記チャネルの長手方向軸線の方向に細長い、請求項１〜８のいずれか一項に記載のヘア・スタイリング・デバイス（１０；２１０）。
【請求項１０】
前記駆動部材（２０）は、複数の直立した駆動エレメント（２２、２２ａ、２２ｂ；１２２）を有しており、前記駆動エレメント（２２、２２ａ、２２ｂ；１２２）は、使用中に、それぞれの駆動エレメントの間で、前記髪のセクション（３６）を髪のより小さいセクション（３６ａ）に分離する、請求項１〜９のいずれか一項に記載のヘア・スタイリング・デバイス（１０；２１０）。
【請求項１１】
前記形成部材（２４）のうちの少なくとも１つは、複数の直立した形成エレメント（２６）を有しており、前記形成エレメント（２６）は、使用中に、それぞれの形成エレメントの間で、前記髪のセクション（３６）を髪のより小さいセクション（３６ａ）に分離する、請求項１〜１０のいずれか一項に記載のヘア・スタイリング・デバイス（１０；２１０）。
【請求項１２】
本体部（１２；２１２）および閉鎖パーツ（１６；２１６）を有しており、前記閉鎖パーツは、開位置と閉位置との間で前記本体部に対して移動可能であり、前記駆動部材（２０；１２０）は、前記本体部に装着されており、前記形成部材（２４）は、前記閉鎖パーツに装着されている、請求項１〜１１のいずれか一項に記載のヘア・スタイリング・デバイス（１０；２１０）。
【請求項１３】
前記駆動エレメント（２２、２２ａ、２２ｂ）は、前記閉鎖パーツがその閉位置にあるときに、前記形成エレメント（２６）に重なり合っている、請求項１０および１１に従属するときの請求項１２に記載のヘア・スタイリング・デバイス（１０）。
【請求項１４】
前記駆動部材（２０；１２０）は、１次的な駆動エレメント（２２ａ）を有しており、前記１次的な駆動エレメント（２２ａ）は、前記髪のより小さいセクション（３６ａ）を髪変形方向（Ｄ２）に駆動するように適合されており、前記駆動部材（２０；１２０）は、また、２次的な駆動エレメント（２２ｂ）を有しており、前記２次的な駆動エレメント（２２ｂ）は、前記髪変形方向とは反対の方向に前記髪のより小さいセクション（３６ａ）を駆動するように適合されている、請求項１〜１３のいずれか一項に記載のヘア・スタイリング・デバイス（１０）。
【請求項１５】
請求項１〜１４のいずれか一項に記載のヘア・スタイリング・デバイスによって髪のセクションをスタイリングする方法であって、前記方法は：
｛ｉ｝前記駆動部材（２０；１２０）を前記第１の方向（Ｄ１）に移動させ、前記髪のセクション（３６）を前記髪受け入れ領域（３８）の中へ変形させるステップと、
｛ｉｉ｝前記駆動部材（２０；１２０）を前記第２の方向（Ｄ２）に移動させ、前記髪受け入れ領域（３８）の中の前記髪のセクション（３６）をさらに変形させるステップと、
｛ｉｉｉ｝前記第２の方向とは反対の方向に前記駆動部材（２０；１２０）を移動させ、前記髪のセクション（３６）が前記髪受け入れ領域の中で弛緩することを可能にするステップと、
｛ｉｖ｝前記髪のセクションのスタイルをセットするステップと
を含む、方法。
【請求項１６】
前記ヘア・スタイリング・デバイスは、少なくとも１つの加熱エレメントと、前記加熱エレメントを作動させるためのコントローラーとを有しており、前記コントローラーは、ステップ｛ｉｉｉ｝の後に、前記加熱エレメントを作動させるように構成されている、請求項１５に記載の方法。
【請求項１７】
前記加熱エレメントのスイッチを切ることと、スタイリングされた前記髪のセクションを前記デバイスから解放することとの間に、所定の遅れが存在している、請求項１６に記載の方法。